(57)【特許請求の範囲】
【請求項１】
敷地に適した設計ＧＬの決定を支援する設計ＧＬ積算システムであって、
外周長、種類別布基礎長、及び外周基礎内部面積を記憶する基礎情報記憶手段と、
敷地面積、仮想現状地盤面高さ、仮定設計ＧＬ高さ、屋外仮置き平均高さ、屋内仮置き平均高さ、屋外仮置き不可能面積、屋内仮置き除外面積、及び除外長と、土撒き距離又は残土整地面積とを入力する基本情報入力手段と、
布基礎断面情報、屋外仮置き平均高さ、屋内仮置き平均高さ、屋内仮置き除外面積、土撒き距離、掘削土嵩増し係数、及び埋め戻し土締め固め係数を記憶する基本情報記憶手段と、
前記基礎情報記憶手段により記憶された外周長、種類別布基礎長、及び外周基礎内部面積と、前記基本情報入力手段により入力された敷地面積、仮想現状地盤面高さ、仮定設計ＧＬ高さ、屋外仮置き平均高さ、屋内仮置き平均高さ、屋外仮置き不可能面積、屋内仮置き除外面積、及び除外長と、土撒き距離又は残土整地面積と、前記基本情報記憶手段により記憶された布基礎断面情報、屋外仮置き平均高さ、屋内仮置き平均高さ、屋内仮置き除外面積、土撒き距離、掘削土嵩増し係数、及び埋め戻し土締め固め係数とに基づいて、前記仮定設計ＧＬ高さにおける処分土量及び客土量を計算する計算手段と、
該計算手段が計算した仮定設計ＧＬ高さにおける処分土量及び客土量を表示する表示手段と、を備えることを特徴とする設計ＧＬ積算システム。
【請求項２】
仮想すき取り深さ、深基礎長の中心から敷地境界線までの距離、仮想すき取り土量の調整値、及び相殺仮想すき取り土量を入力するすき取り情報入力手段を備え、
前記計算手段は、前記基礎情報記憶手段により記憶された種類別布基礎長と、前記すき取り情報入力手段により入力された仮想すき取り深さ、深基礎長の中心から敷地境界線までの距離、仮想すき取り土量の調整値、及び相殺仮想すき取り土量とに基づいて、仮想すき取り土量を計算し、該仮想すき取り土量を含めて前記処分土量及び客土量を計算することを特徴とする請求項１記載の設計ＧＬ積算システム。
【請求項３】
仮想埋土量及び仮想切土量を入力する埋土・切土量入力手段を備え、
前記計算手段は、該埋土・切土量入力手段により入力された仮想埋土量及び仮想切土量を含めて前記処分土量及び客土量を計算することを特徴とする請求項１又は２記載の設計ＧＬ積算システム。
【請求項４】
表層改良厚、部分改良残土量、表層改良配合量、及び表層改良残土補正係数を入力する表層改良情報入力手段と、
表層改良施工幅、及び表層改良残土発生率を記憶する表層改良情報記憶手段と、を備え、
前記計算手段は、前記基礎情報記憶手段により記憶された外周長及び外周基礎内部面積と、前記基本情報入力手段により入力された除外長と、前記表層改良情報入力手段により入力された表層改良厚、部分改良残土量、表層改良配合量、及び表層改良残土補正係数と、前記表層改良情報記憶手段により記憶された表層改良施工幅、及び表層改良残土発生率とに基づいて、表層改良残土量を計算し、該表層改良残土量を含めて前記処分土量及び客土量を計算することを特徴とする請求項１乃至３記載の設計ＧＬ積算システム。
【請求項５】
柱状改良本数を記憶する柱状改良本数記憶手段と、
節の有無、柱状改良総施工長さ、柱状改良配合量、及び柱状改良残土補正係数を入力する柱状改良情報入力手段と、
柱状改良残土発生率、柱状改良１ｍあたりの基本残土量、及び柱状改良１本あたりの節部基本残土量を記憶する柱状改良情報記憶手段と、を備え、
前記計算手段は、前記柱状改良本数記憶手段に記憶された柱状改良本数と、前記柱状改良情報入力手段により入力された節の有無、柱状改良総施工長さ、柱状改良配合量、及び柱状改良残土補正係数と、前記柱状改良情報記憶手段により記憶された柱状改良残土発生率、柱状改良１ｍあたりの基本残土量、及び柱状改良１本あたりの節部基本残土量とに基づいて、柱状改良残土量を計算し、該柱状改良残土量を含めて前記処分土量及び客土量を計算することを特徴とする請求項１乃至４記載の設計ＧＬ積算システム。
【請求項６】
ソルパック掘削土量を入力するソルパック掘削土量入力手段を備え、
前記計算手段は、該ソルパック掘削土量入力手段により入力されたソルパック掘削土量を含めて前記処分土量及び客土量を計算することを特徴とする請求項１乃至５記載の設計ＧＬ積算システム。
【請求項７】
床仕様による過不足土量を計算する面積を入力する過不足土量面積入力手段と、
地盤下地面高さを記憶する地盤下地面高さ記憶手段と、を備え、
前記計算手段は、前記過不足土量面積入力手段により入力された過不足土量を計算する面積と、前記地盤下地面高さ記憶手段により記憶された地盤下地面高さとに基づいて、過不足土量を計算して、該過不足土量を含めて前記処分土量及び客土量を計算することを特徴とする請求項１乃至６記載の設計ＧＬ積算システム。
【請求項８】
前記計算手段は、前記仮定設計ＧＬ高さ付近の複数のレベルにおける処分土量及び客土量を計算し、
前記表示手段は、該計算手段により計算された仮定設計ＧＬ高さ付近の複数のレベルにおける処分土量及び客土量を表示することを特徴とする請求項１乃至７記載の設計ＧＬ積算システム。
【請求項９】
処分基本料金、処分単価、客土基本料金、及び客土単価を記憶する費用情報記憶手段と、
該収支情報記憶手段により記憶された処分基本料金、処分単価、客土基本料金、及び客土単価と、前記処分土量及び客土量とに基づいて合計費用を計算する合計費用計算手段と、
該合計費用計算手段により計算された合計費用を表示する合計費用表示手段と、を備えることを特徴とする請求項１乃至８記載の設計ＧＬ積算システム。
【発明の詳細な説明】
【技術分野】
【０００１】
本発明は、敷地に適した設計ＧＬの決定を支援する設計ＧＬ積算システムに関する。
【背景技術】
【０００２】
建物の施工現場において基礎工事を行う際、敷地の土を掘削し、基礎工事完了後、埋め戻しを行う。敷地の現状地盤レベルを設計ＧＬ（グランドレベル）として基礎工事を行うと、既存の地中に一定の体積を有する構造物が新たにできるため、埋め戻しが完了しても必ず残土が発生する。そこで、設計ＧＬを敷地の現状地盤レベルよりも上げて設定することが可能であれば、残土を敷地内で過不足なく処理できる。
【０００３】
従来、設計ＧＬは、設計者が経験値や推測値、敷地の諸条件等に基づいて決定しているが、それが必ずしも最適な設計ＧＬとはならず、決定された設計ＧＬに則して施工した結果、余分な残土搬出や、客土搬入が発生し、それらにより工期が延びることがある。また、残土処分費は年々高額になってきているのに加えて、土壌汚染対策法の施行により残土の場外搬出が困難になってきている。そこで、設計者には適正な設計ＧＬを決定することが求められる。
【０００４】
かかる事情を考慮して、設計者の設計ＧＬの決定を支援するために、仮に設定した設計ＧＬにおける掘削土量、埋め戻し量、及び残土量を求めることができるシステムがある（例えば、特許文献１参照）。この特許文献１のシステムによれば、構造物の三次元データを入力し、該三次元データに対して土質、掘削面の勾配、設計ＧＬを指定することにより、掘削の形状と掘削土量、構造物の地下埋設部分の体積が求められ、これらにより残土量及び埋め戻し量が求められる。
【特許文献１】特開２００１−２２７０６０号公報
【発明の開示】
【発明が解決しようとする課題】
【０００５】
ところで、実際の施工現場では、掘削してから埋め戻しを行うまでの間、掘削した土をどこかに保管する必要があり、敷地内の仮置き可能な場所に可能な限り仮置きするが、敷地内に仮置き可能なスペースは限られるため、掘削土量が仮置き可能な土量を超える場合、仮置きできない土を処分土として一旦敷地から搬出して場外処分し、埋め戻しの際に改めて客土を購入している。
【０００６】
しかしながら、特許文献１のシステムでは、掘削した土の敷地内の仮置きを条件として考慮していないため、入力した設計ＧＬに対する掘削土量、埋め戻し量、及び残土量は求めることができるが、処分土量や客土量を求めることはできなかった。
【０００７】
本発明は、上記の課題に鑑みてなされたものであり、掘削した土の敷地内の仮置きを条件として、仮に設定した設計ＧＬにおける処分土量及び客土量を求めることができる設計ＧＬ積算システムを提供することを目的とする。
【課題を解決するための手段】
【０００８】
上記目的を達成するために、請求項１記載の設計ＧＬ積算システムは、敷地に適した設計ＧＬの決定を支援する設計ＧＬ積算システムであって、外周長、種類別布基礎長、及び外周基礎内部面積を記憶する基礎情報記憶手段と、敷地面積、仮想現状地盤面高さ、仮定設計ＧＬ高さ、屋外仮置き平均高さ、屋内仮置き平均高さ、屋外仮置き不可能面積、屋内仮置き除外面積、及び除外長と、土撒き距離又は残土整地面積とを入力する基本情報入力手段と、布基礎断面情報、屋外仮置き平均高さ、屋内仮置き平均高さ、屋内仮置き除外面積、土撒き距離、掘削土嵩増し係数、及び埋め戻し土締め固め係数を記憶する基本情報記憶手段と、前記基礎情報記憶手段により記憶された外周長、種類別布基礎長、及び外周基礎内部面積と、前記基本情報入力手段により入力された敷地面積、仮想現状地盤面高さ、仮定設計ＧＬ高さ、屋外仮置き平均高さ、屋内仮置き平均高さ、屋外仮置き不可能面積、屋内仮置き除外面積、及び除外長と、土撒き距離又は残土整地面積と、前記基本情報記憶手段により記憶された布基礎断面情報、屋外仮置き平均高さ、屋内仮置き平均高さ、屋内仮置き除外面積、土撒き距離、掘削土嵩増し係数、及び埋め戻し土締め固め係数とに基づいて、前記仮定設計ＧＬ高さにおける処分土量及び客土量を計算する計算手段と、該計算手段が計算した仮定設計ＧＬ高さにおける処分土量及び客土量を表示する表示手段と、を備えることを特徴としている。
【０００９】
請求項２記載の設計ＧＬ積算システムは、請求項１記載の設計ＧＬ積算システムにおいて、仮想すき取り深さ、深基礎長の中心から敷地境界線までの距離、仮想すき取り土量の調整値、及び相殺仮想すき取り土量を入力するすき取り情報入力手段を備え、前記計算手段は、前記基礎情報記憶手段により記憶された種類別布基礎長と、前記すき取り情報入力手段により入力された仮想すき取り深さ、深基礎長の中心から敷地境界線までの距離、仮想すき取り土量の調整値、及び相殺仮想すき取り土量とに基づいて、仮想すき取り土量を計算し、該仮想すき取り土量を含めて前記処分土量及び客土量を計算することを特徴としている。
【００１０】
請求項３記載の設計ＧＬ積算システムは、請求項１又は２記載の設計ＧＬ積算システムにおいて、仮想埋土量及び仮想切土量を入力する埋土・切土量入力手段を備え、前記計算手段は、該埋土・切土量入力手段により入力された仮想埋土量及び仮想切土量を含めて前記処分土量及び客土量を計算することを特徴としている。
【００１１】
請求項４記載の設計ＧＬ積算システムは、請求項１乃至３記載の設計ＧＬ積算システムにおいて、表層改良厚、部分改良残土量、表層改良配合量、及び表層改良残土補正係数を入力する表層改良情報入力手段と、表層改良施工幅、及び表層改良残土発生率を記憶する表層改良情報記憶手段と、を備え、前記計算手段は、前記基礎情報記憶手段により記憶された外周長及び外周基礎内部面積と、前記基本情報入力手段により入力された除外長と、前記表層改良情報入力手段により入力された表層改良厚、部分改良残土量、表層改良配合量、及び表層改良残土補正係数と、前記表層改良情報記憶手段により記憶された表層改良施工幅、及び表層改良残土発生率とに基づいて、表層改良残土量を計算し、該表層改良残土量を含めて前記処分土量及び客土量を計算することを特徴としている。
【００１２】
請求項５記載の設計ＧＬ積算システムは、請求項１乃至４記載の設計ＧＬ積算システムにおいて、柱状改良本数を記憶する柱状改良本数記憶手段と、節の有無、柱状改良総施工長さ、柱状改良配合量、及び柱状改良残土補正係数を入力する柱状改良情報入力手段と、柱状改良残土発生率、柱状改良１ｍあたりの基本残土量、及び柱状改良１本あたりの節部基本残土量を記憶する柱状改良情報記憶手段と、を備え、前記計算手段は、前記柱状改良本数記憶手段に記憶された柱状改良本数と、前記柱状改良情報入力手段により入力された節の有無、柱状改良総施工長さ、柱状改良配合量、及び柱状改良残土補正係数と、前記柱状改良情報記憶手段により記憶された柱状改良残土発生率、柱状改良１ｍあたりの基本残土量、及び柱状改良１本あたりの節部基本残土量とに基づいて、柱状改良残土量を計算し、該柱状改良残土量を含めて前記処分土量及び客土量を計算することを特徴としている。
【００１３】
請求項６記載の設計ＧＬ積算システムは、請求項１乃至５記載の設計ＧＬ積算システムにおいて、ソルパック掘削土量を入力するソルパック掘削土量入力手段を備え、前記計算手段は、該ソルパック掘削土量入力手段により入力されたソルパック掘削土量を含めて前記処分土量及び客土量を計算することを特徴としている。
【００１４】
請求項７記載の設計ＧＬ積算システムは、請求項１乃至６記載の設計ＧＬ積算システムにおいて、床仕様による過不足土量を計算する面積を入力する過不足土量面積入力手段と、地盤下地面高さを記憶する地盤下地面高さ記憶手段と、を備え、前記計算手段は、前記過不足土量面積入力手段により入力された過不足土量を計算する面積と、前記地盤下地面高さ記憶手段により記憶された地盤下地面高さとに基づいて、過不足土量を計算して、該過不足土量を含めて前記処分土量及び客土量を計算することを特徴としている。
【００１５】
請求項８記載の設計ＧＬ積算システムは、請求項１乃至７記載の設計ＧＬ積算システムにおいて、前記計算手段は、前記仮定設計ＧＬ高さ付近の複数のレベルにおける処分土量及び客土量を計算し、前記表示手段は、該計算手段により計算された仮定設計ＧＬ高さ付近の複数のレベルにおける処分土量及び客土量を表示することを特徴としている。
【００１６】
請求項９記載の設計ＧＬ積算システムは、請求項１乃至８記載の設計ＧＬ積算システムにおいて、処分基本料金、処分単価、客土基本料金、及び客土単価を記憶する費用情報記憶手段と、該収支情報記憶手段により記憶された処分基本料金、処分単価、客土基本料金、及び客土単価と、前記処分土量及び客土量とに基づいて合計費用を計算する合計費用計算手段と、該合計費用計算手段により計算された合計費用を表示する合計費用表示手段と、を備えることを特徴としている。
【発明の効果】
【００１７】
本発明の請求項１の設計ＧＬ積算システムによれば、掘削した土の敷地内の仮置きを条件として仮定設計ＧＬ高さにおける処分土量及び客土量を計算して、その計算結果を表示するため、掘削した土の敷地内の仮置きを条件として、仮に設定した設計ＧＬにおける処分土量及び客土量を求めることができ、ユーザの敷地に適した設計ＧＬの決定を支援できる。
【００１８】
請求項２の設計ＧＬ積算システムによれば、請求項１記載の設計ＧＬ積算システムの効果に加えて、仮想すき取り土量を計算し、該仮想すき取り土量を含めて仮定設計ＧＬ高さにおける処分土量及び客土量を計算するため、仮に設定した設計ＧＬにおける処分土量及び客土量を求めることができ、ユーザの敷地に適した設計ＧＬの決定を支援できる。
【００１９】
請求項３の設計ＧＬ積算システムによれば、請求項１又は２記載の設計ＧＬ積算システムの効果に加えて、仮想埋土量、及び仮想切土量を含めて仮定設計ＧＬ高さにおける処分土量及び客土量を計算するため、起伏のある敷地においても仮に設定した設計ＧＬにおける処分土量及び客土量を求めることができ、ユーザの敷地に適した設計ＧＬの決定を支援できる。
【００２０】
請求項４の設計ＧＬ積算システムによれば、請求項１乃至３記載の設計ＧＬ積算システムの効果に加えて、表層改良残土量を計算し、該表層改良残土量を含めて仮定設計ＧＬ高さにおける処分土量及び客土量を計算するため、表層改良を行う敷地においても仮に設定した設計ＧＬにおける処分土量及び客土量を求めることができ、ユーザの敷地に適した設計ＧＬの決定を支援できる。
【００２１】
請求項５の設計ＧＬ積算システムによれば、請求項１乃至４記載の設計ＧＬ積算システムの効果に加えて、柱状改良残土量を計算し、該柱状改良残土量を含めて仮定設計ＧＬ高さにおける処分土量及び客土量を計算するため、柱状改良を行う敷地においても仮に設定した設計ＧＬにおける処分土量及び客土量を求めることができ、ユーザの敷地に適した設計ＧＬの決定を支援できる。
【００２２】
請求項６の設計ＧＬ積算システムによれば、請求項１乃至５記載の設計ＧＬ積算システムの効果に加えて、ソルパック掘削土量を計算し、該ソルパック掘削土量を含めて仮定設計ＧＬ高さにおける処分土量及び客土量を計算するため、ソルパックによる改良を行う敷地においても仮に設定した設計ＧＬにおける処分土量及び客土量を求めることができ、ユーザの敷地に適した設計ＧＬの決定を支援できる。
【００２３】
請求項７の設計ＧＬ積算システムによれば、請求項１乃至６記載の設計ＧＬ積算システムの効果に加えて、床仕様による過不足土量を計算して、該過不足土量を含めて仮定設計ＧＬにおける処分土量及び客土量を計算するため、より精度の高い処分土量及び客土量を求めることができ、ユーザの敷地に適した設計ＧＬの決定を支援できる。
【００２４】
請求項８の設計ＧＬ積算システムによれば、請求項１乃至７記載の設計ＧＬ積算システムの効果に加えて、仮定設計ＧＬ付近の複数のレベルにおける処分土量及び客土量を計算し、その計算結果を表示するため、敷地によっては隣地との敷地境界や道路斜線等の制約があり、仮定設計ＧＬに設計ＧＬを決定できない敷地であっても、ユーザの敷地に適した設計ＧＬの決定を支援できる。
【００２５】
請求項９の設計ＧＬ積算システムによれば、請求項１乃至８記載の設計ＧＬ積算システムの効果に加えて、合計費用を計算し、計算した合計費用を表示するため、コスト面からもユーザの敷地に適した設計ＧＬの決定を支援できる。
【発明を実施するための最良の形態】
【００２６】
以下、本発明の実施の形態に係る設計ＧＬ積算システムを図面に基づき具体的に説明する。
設計ＧＬ積算システム１は、図１に示すように、制御部（ＣＰＵ：Central Processing Unit）２、ＲＯＭ（Read Only Memory）３、ＲＡＭ（Random Access Memory）４、ＨＤ（Hard Disk）５、入力装置６、及び表示装置７を備えており、各部２乃至７はバス８によって通信可能に接続されている。また、設計ＧＬ積算システム１は、スタンド・アローンで動作するのが基本のシステムであるが、図示するように、建物仕様、設計仕様、数量情報等を入力するＣＡＤシステム９と相互にＬＡＮ（Local Area Network）を含む通信ネットワーク１０を介して通信可能に接続されて利用することも可能である。
【００２７】
制御部２は、設計ＧＬ積算システム１を構成する各部を制御するものである。ＲＯＭ３は、制御部２によって設計ＧＬ積算システム１の各部が制御されるための制御プログラムを記憶するものである。ＲＡＭ４は、制御部２の主メモリ、ワークエリア等として機能するものである。
【００２８】
ＨＤ５は、図１に示すように、設計ＧＬ積算プログラム１１を記憶している。この設計ＧＬ積算プログラム１１は、入力装置６により入力された情報、及びＨＤ５が記憶した情報に基づいて、仮定設計ＧＬ高さＨｓＧＬ及び該仮定設計ＧＬ高さＨｓＧＬ付近の複数のレベルにおける総掘削土量Ｖｃｕｔ、総仮置き土量Ｖｐ、総埋め戻し土量Ｖｒａ、処分土量Ｖｄｉｓ、客土量Ｖｕｐ、処分費用Ｐｄｉｓ、客土費用Ｐｉｎ、及び合計費用Ｐａｌｌを計算し、その計算結果を出力するためのプログラムである。また、この設計ＧＬ積算プログラム１１を記録したコンピュータ読み取り可能な記録媒体（不図示）から汎用のコンピュータに設計ＧＬ積算プログラム１１をインストールすることにより、当該コンピュータを設計ＧＬ積算システム１として機能させることができる。
【００２９】
また、ＨＤ５は、入力装置６により入力されるさまざまな情報や、制御部２が設計ＧＬ積算プログラム１１に従って仮定設計ＧＬ高さＨｓＧＬ及び該仮定設計ＧＬ高さＨｓＧＬ付近の複数のレベルにおける総掘削土量Ｖｃｕｔ、総仮置き土量Ｖｐ、総埋め戻し土量Ｖｒａ、処分土量Ｖｄｉｓ、客土量Ｖｕｐ、処分費用Ｐｄｉｓ、客土費用Ｐｉｎ、及び合計費用Ｐａｌｌを計算する際に必要な情報である、布基礎断面情報、地盤下地面高さＨｒｂ、表層改良施工幅Ｌｐｒ、表層改良残土発生率λｆ、柱状改良残土発生率λｐ、柱状改良１ｍあたりの基本残土量Ｖｐｕ１、柱状改良１本あたりの節部基本残土量Ｖｐｕ２、屋外仮置き平均高さＨｐｏｕｔ、屋内仮置き平均高さＨｐｉｎ、屋内仮置き除外面積Ｓｐｅｘｉｎ、土撒き距離Ｌｓｐ、掘削土嵩増し係数α、埋め戻し土締め固め係数β、処分基本料金Ｕｄｉｓｂ、処分単価Ｕｄｉｓ、客土基本料金Ｕｉｎｂ、客土単価Ｕｉｎ、土量参考表の計算間隔Ｔｉ、及び土量参考表の表示行数ＴＬを予めマスタ設定値として記憶するものである。
【００３０】
また、ＨＤ５は、外周長ＬＷＬ、種類別布基礎長Ｌｆ、外周基礎内部面積Ｓｉｎ、及び柱状改良本数Ｎｐをも記憶するが、ＣＡＤシステム９から出力されたファイルのデータを読み込んで本設計ＧＬ積算システム１で用いるデータに変換する際に必要な情報である読込ファイル変換テーブルを予め記憶しており、ＣＡＤシステム９から出力されて読み込まれたファイルのデータから該読込ファイル変換テーブルに基づいて変換された外周長ＬＷＬ、種類別布基礎長Ｌｆ、外周基礎内部面積Ｓｉｎ、及び柱状改良本数Ｎｐを記憶することが可能である。また、外周長ＬＷＬ、種類別布基礎長Ｌｆ、外周基礎内部面積Ｓｉｎ、及び柱状改良本数Ｎｐは、入力装置６により入力可能であり、ＨＤ５は、入力装置６により入力された外周長ＬＷＬ、種類別布基礎長Ｌｆ、外周基礎内部面積Ｓｉｎ、及び柱状改良本数Ｎｐを記憶することも可能である。
【００３１】
入力装置６は、設計ＧＬ積算システム１のユーザがさまざまな情報を設計ＧＬ積算システム１に入力するための汎用のマウスやキーボード等の装置であり、敷地面積Ｓｓｉｔｅ、仮想現状地盤面高さＨＧＬ、仮定設計ＧＬ高さＨｓＧＬ、仮想埋土量Ｖｆ、仮想切土量Ｖｃ、屋外仮置き平均高さＨｐｏｕｔ、屋内仮置き平均高さＨｐｉｎ、屋外仮置き不可能面積Ｓｐｅｘｏｕｔ、屋内仮置き除外面積Ｓｐｅｘｉｎ、土撒き距離Ｌｓｐ、残土整地面積Ｓｏｕｔ、除外長ＬＷＬｏｕｔ、仮想すき取り深さＨｄ、深基礎長の中心から敷地境界線までの距離Ｌｄ、仮想すき取り土量の調整値Ｖｄａ、相殺仮想すき取り土量Ｖｄｃ、表層改良厚Ｈｐｒ、部分改良残土量Ｖｐｒｂ、表層改良配合量、表層改良残土補正係数λｆｕ、節の有無、柱状改良総施工長さＬｐ、柱状改良配合量、柱状改良残土補正係数λｐｕ、ソルパック掘削土量Ｖｓｏ、過不足土量を計算する部屋面積Ｓｒｂ、及び過不足土量を計算する屋外仕上げ面積Ｓｏｕｔｂをを入力するためのものである。
【００３２】
表示装置７は、制御部２が出力したさまざまな入力画面や計算結果を示す画面等を表示する汎用のＣＲＴディスプレイや液晶ディスプレイ等の装置であり、仮定設計ＧＬ高さＨｓＧＬ及び該仮定設計ＧＬ高さＨｓＧＬ付近の複数のレベルにおける総掘削土量Ｖｃｕｔ、総仮置き土量Ｖｐ、総埋め戻し土量Ｖｒａ、処分土量Ｖｄｉｓ、客土量Ｖｕｐ、処分費用Ｐｄｉｓ、客土費用Ｐｉｎ、及び合計費用Ｐａｌｌを表示するものである。
【００３３】
ここで、本設計ＧＬ積算システム１における用語について説明する。
本設計ＧＬ積算システム１においては、床材だけではなく、それを支持する束や土間コンクリートまでを含んで「床」といい、この床を設計・施工する仕様を「床仕様」という。また、屋外のポーチ、玄関アプローチ等も床仕様として扱い、化粧客土も、同様に床仕様として扱う。さらに、床を施工する上での地盤面を「地盤下地面」という。
【００３４】
また、布基礎の両側の地盤面高さは、基礎断面の種類によって異なっており、具体的には、図２（ａ）に示すように、標準基礎１２と埋め込み型深基礎１３では、基礎の両側で現状地盤面高さが等しく、擁壁型深基礎１４では、基礎工事後は外側の地盤面が低くなる。そこで、図２（ｂ）に示すように、基礎断面の種類が擁壁型深基礎１４である場合、現状地盤が擁壁型深基礎１４のＮ芯位置で垂直に切り落とされてすき取りされるものとして計算を行う。以下、このすき取りを仮想すき取りといい、仮想すき取りされた部分の土量を仮想すき取り土量Ｖｄという。
【００３５】
次いで、ＣＡＤシステム９から出力されたファイルを読み込んでＨＤ５が記憶する、又は、ユーザが入力装置６により入力する各情報について説明する。
外周長ＬＷＬとは、布基礎種類が外周基礎、又はアルコーブ下基礎である布基礎の長さの合計長のことである。種類別布基礎長Ｌｆとは、種類毎の布基礎の長さのことである。外周基礎内部面積Ｓｉｎとは、ピロティ、アルコーブも含む建物の最外周基礎のＮ芯により囲まれた部分の面積のことである。また、柱状改良本数Ｎｐとは、敷地内で柱状改良を行う場合の柱体の本数のことである。
【００３６】
また、ユーザが入力装置６により入力する各情報について説明する。
敷地面積Ｓｓｉｔｅとは、建物が計画された敷地の面積のことであり、一般に設計図書の敷地図や面積表等に記載されている。仮想現状地盤面高さＨＧＬとは、図３に示すように、現状地盤面を仮想現状地盤面として設定した場合の該仮想現状地盤面の敷地毎に造成によって影響を受けない位置にある工作物やベンチマーク等を基準とした基準高さからの相対値である。実際の敷地の現状地盤面は、起伏があったり、斜面であったりして平坦でないことがあるが、現状地盤面の平均で、且つ平坦な地盤面を仮想現状地盤面とする。した場合の、該仮想現状地盤面の前記基準高さからの相対値のことである。また、仮定設計ＧＬ高さＨｓＧＬとは、設計ＧＬを仮に仮定設計ＧＬとして設定した場合の該仮定設計ＧＬの前記基準高さからの相対値のことである。
【００３７】
仮想埋土量Ｖｆ、及び仮想切土量Ｖｃとは、敷地内における起伏部分の土量のことであり、実際の敷地には、図４に示すように、敷地内に部分的に高かったり、低かったりする部分もあり得るが、コンピュータシステムに敷地内の高かったり、低かったりする部分も含めて仮想現状地盤面を計算をする情報を与えることは困難であるため、これらの土量をユーザが別に計算してその結果をそれぞれ仮想埋土量Ｖｆ、仮想切土量Ｖｃとして入力する。
【００３８】
屋外仮置き平均高さＨｐｏｕｔ、及び屋内仮置き平均高さＨｐｉｎとは、土を仮置きする際の高さのことである。屋外仮置き不可能面積Ｓｐｅｘｏｕｔ、及び屋内仮置き除外面積Ｓｐｅｘｉｎとは、それぞれ敷地内の屋外及び屋内に土を仮置きできない面積のことである。本設計ＧＬ積算システム１における仮置き可能範囲は、図５に示すように、基礎が打設される部分以外の平坦な部分とするが、該平坦な部分にも諸条件により仮置きできない部分がある場合に備えて、屋外仮置き不可能面積Ｓｐｅｘｏｕｔ、屋内仮置き除外面積Ｓｐｅｘｉｎを入力する。
【００３９】
土撒き距離Ｌｓｐ、及び残土整地面積Ｓｏｕｔは、埋め戻し時に整地する範囲に関する条件であり、土撒き距離Ｌｓｐとは、建物の外周基礎外側から一定距離の範囲に残土を入れて整地する場合の距離のことであり、一方、残土整地面積Ｓｏｕｔとは、土撒き距離Ｌｓｐによらず、敷地図等から敷地内の整地する面積をユーザが別途計算した面積のことであり、仮想すき取り部分や、池等の整地できない部分の面積は除かれている。
【００４０】
除外長ＬＷＬｏｕｔとは、建物にピロティやアルコーブがある場合に、外周長ＬＷＬが建物の最外周の布基礎長とならないため、外周長ＬＷＬから除く必要がある布基礎の長さのことであり、例えば、図６（ａ）に示すように、建物の角部にピロティや袖壁タイプのアルコーブが設けられる場合、ピロティやアルコーブの内側にある外周基礎の長さを除外長ＬＷＬｏｕｔとする。図６（ｂ）に示すように、建物の中間部にアルコーブが設けられる場合は、アルコーブ内側にある外周基礎の長さを除外長ＬＷＬｏｕｔとする。また、図６（ｃ）に示すように、建物から突出したピロティが設けられる場合は、ピロティに接する部分の外周基礎の長さを除外長ＬＷＬｏｕｔとする。
【００４１】
仮想すき取り深さＨｄとは、図３に示すように、仮想すき取りを行う場合の仮想現状地盤面から仮想すき取り後のすき取り面までの深さのことである。深基礎長の中心から敷地境界線までの距離Ｌｄとは、図７に示すように、擁壁型深基礎１４の中心から敷地境界線までの距離のことである。また、仮想すき取り土量の調整値Ｖｄａ、及び相殺仮想すき取り土量Ｖｄｃとは、仮想すき取り土量Ｖｄに対する補正土量のことである。実際の敷地においては、図８（ａ）に示すように、前面道路が傾斜している等の理由により、敷地境界線付近に該傾斜を吸収するための勾配があったり、図８（ｂ）に示すように、すき取り面そのものが傾斜していることがあるが、仮想すき取り深さＨｄを調整して対応すると、この値は掘削土量計算等にも使用しており、支障が生ずる。そのため、諸条件による仮想すき取り土量Ｖｄの誤差が許容範囲を越える場合は、ユーザが別途、追加補正土量として仮想すき取り土量の調整値Ｖｄａを計算して入力し、仮想すき取り土量Ｖｄに加算するようにする。また、すき取り範囲が建物の外周出隅に接する場合も、自動計算が及ばないため、その部分の体積を仮想すき取り土量Ｖｄに加算するように仮想すき取り土量の調整値Ｖｄａを入力する。一方、例えば、すき取り範囲に外部階段等がある場合、その部分を全てすき取る場合と比較すると、略１／２のすき取り量となる。このような場合、該略１／２の土量を相殺仮想すき取り土量Ｖｄｃとして入力し、仮想すき取り土量Ｖｄから減算するようにする。
【００４２】
表層改良厚Ｈｐｒとは、表層改良を行う部分の厚みのことである。部分改良残土量Ｖｐｒｂとは、部分改良する場合の残土量のことである。表層改良配合量とは、表層改良材の配合量のことである。表層改良残土補正係数λｆｕとは、敷地の状況を判断して設定できる補正係数のことである。
【００４３】
節の有無とは、柱状改良における柱体に節があるか否かについての情報である。柱状改良総施工長さＬｐとは、柱状改良における施工長さの合計長である。柱状改良配合量とは、柱状改良材の配合量のことである。柱状改良残土補正係数λｐｕとは、敷地の状況を判断して設定できる補正係数のことである。
【００４４】
ソルパック掘削土量Ｖｓｏとは、ソルパック改良を行う場合の掘削土量のことである。このソルパックとは、土あるいは土に類するものを袋詰めにした建設資材のことであり、ソルパックを積み上げて一体化することにより、地盤の支持力が飛躍的に増強される。
【００４５】
過不足土量を計算する部屋面積Ｓｒｂとは、床仕様が同じ部屋を１単位とし、その単位毎に一階屋内部分を分割した面積のことである。なお、玄関ポーチがピロティ内にある場合、屋内部分として扱う。また、過不足土量を計算する屋外仕上げ面積Ｓｏｕｔｂとは、ピロティ外玄関ポーチ、外構アプローチ床、化粧客土等の土量に影響を与える床仕様の施工を行う面積のことである。
【００４６】
さらに、ＨＤ５が予めマスタ設定値として記憶する各情報について説明する。
布基礎断面情報とは、図３に示すように、基礎外部立上がり幅Ｂ１Ｌ、基礎内部立上がり幅Ｂ１ｒ、基礎外部立上がり幅Ｂ１Ｌ、基礎内部立上がり幅Ｂ１ｒ、基礎外部フーチング上端幅Ｂ２Ｌ、基礎内部フーチング上端幅Ｂ２ｒ、基礎外部フーチング下端幅Ｂ３Ｌ、基礎内部フーチング下端幅Ｂ３ｒ、基礎外部掘削幅Ｂ４Ｌ、基礎内部掘削幅Ｂ４ｒ、仮定設計ＧＬまでの基礎立上がり高さＨ１、フーチング厚Ｈ２、地業厚Ｈ３、基礎外部掘削勾配γＬ、基礎内部掘削勾配γｒの各数値であり、布基礎の種類毎に設定されている。また、ＨＤ５は、図示しないが、布基礎断面情報として最小土被りＨｍｉｎを記憶している。この最小土被りＨｍｉｎとは、仮定設計ＧＬ高さＨｓＧＬを大きくした場合、擁壁型布基礎１３の基礎断面が相対的に上方へ移動するため、フーチングが土に埋まらなくなることを防ぐために設定される。
【００４７】
地盤下地面高さＨｒｂとは、屋内及び屋外の床仕様毎に設定された仮定設計ＧＬから測った地盤下地面の高さのことであり、床仕様によって異なり、例えば、図９に示すように、玄関床１５の地盤下地面高さＨｒｂＥは、一般部屋部床１６の地盤下地面高さＨｒｂＯより高く設定されている。なお、地盤下地面が仮定設計ＧＬより高い場合を＋、低い場合を−とする。
【００４８】
表層改良施工幅Ｌｐｒとは、全面改良時の外周基礎外側からの施工幅を示す数値である。表層改良残土発生率λｆ、及び柱状改良残土発生率λｐとは、それぞれ表層改良、及び柱状改良における残土の発生率であり、地盤改良における改良材の配合量に応じてそれぞれ複数設定されている。柱状改良１ｍあたりの基本残土量Ｖｐｕ１とは、柱状改良を行う場合の１ｍあたりの残土量であり、また、柱状改良１本あたりの節部基本残土量Ｖｐｕ２とは、柱状改良を行う場合の柱体１本あたりの残土量である。
【００４９】
屋外仮置き平均高さＨｐｏｕｔ、屋内仮置き平均高さＨｐｉｎ、及び屋内仮置き除外面積Ｓｐｅｘｉｎ、土撒き距離Ｌｓｐは、ＨＤ５がマスタ設定値として記憶しているが、ユーザが入力装置６により入力するそれぞれの値に変更可能である。
【００５０】
掘削土嵩増し係数α、及び埋め戻し土締め固め係数βとは、土量変化率のことであり、これまで「土量」という表現を用いながら、実際には幾何学的な体積をさしていたが、通常、土を掘削してほぐすと嵩増し、埋め戻す際に締め固めると体積が減少する。したがって、それぞれの係数を掘削土嵩増し係数α、埋め戻し土締め固め係数βとし、実質的に処分・搬入される土量を計算する際に用いる。
【００５１】
処分基本料金Ｕｄｉｓｂ、処分単価Ｕｄｉｓ、客土基本料金Ｕｉｎｂ、及び客土単価Ｕｉｎとは、処分費用Ｐｄｉｓ、客土費用Ｐｉｎを計算する際に用いる処分・搬入する土の基本料金及び単価のことである。
【００５２】
土量参考表の計算間隔Ｔｉ、及び土量参考表の表示行数ＴＬとは、仮定設計ＧＬ高さＨｓＧＬ及び該仮定設計ＧＬ高さＨｓＧＬ付近の複数のレベルにおける総掘削土量Ｖｃｕｔ、総仮置き土量Ｖｐ、総埋め戻し土量Ｖｒａ、処分土量Ｖｄｉｓ、客土量Ｖｕｐ、処分費用Ｐｄｉｓ、客土費用Ｐｉｎ、及び合計費用Ｐａｌｌを計算し、その計算結果を表示する土量参考表の計算間隔、及び表示行数のことである。
【００５３】
次に、以上のように構成された設計ＧＬ積算システム１を用いて仮定設計ＧＬ高さＨｓＧＬ及び該仮定設計ＧＬ高さＨｓＧＬ付近の複数のレベルにおける総掘削土量Ｖｃｕｔ、総仮置き土量Ｖｐ、総埋め戻し土量Ｖｒａ、処分土量Ｖｄｉｓ、客土量Ｖｕｐ、処分費用Ｐｄｉｓ、客土費用Ｐｉｎ、及び合計費用Ｐａｌｌを計算し、その計算結果を表示する方法について、図１０に示すフローチャートを用いて説明する。なお、この設計ＧＬ積算システム１の各部の処理動作は、ＲＯＭ３に記憶されている制御プログラム及びＨＤ５に記憶されている設計ＧＬ積算プログラム１１に基づいて制御部２が発行する制御命令に従って行われる。
【００５４】
まず、設計ＧＬ積算システム１のユーザは、ＣＡＤシステム９から出力されたファイルを読み込むか否かを判断し（Ｓ１）、該ファイルを読み込むと判断した場合（Ｓ１：ＮＯ）、入力装置６によりファイルの「インポート」コマンドを入力する。この場合、外周長ＬＷＬ、種類別布基礎長Ｌｆ、外周基礎内部面積Ｓｉｎ、及び柱状改良本数Ｎｐがファイルから読み込まれてＨＤ５に記憶され、外周長ＬＷＬ、及び種類別布基礎長Ｌｆは、図１１に示すように、表示装置７に表示された布基礎数量入力画面１７の「外周長」、及び「種類」、「仕様」、「長さ」の各フィールドにそれぞれ表示され、外周基礎内部面積Ｓｉｎは、図１２に示すように、部屋・仕上げ情報入力画面１８の「外周基礎内部面積」フィールドに表示され、また、柱状改良本数Ｎｐは、図１３に示すように、地盤改良情報入力画面１９の柱状改良の「本数」フィールドに表示される。このように、ＣＡＤシステム９から出力されたファイルを読み込むことにより、ユーザが外周長ＬＷＬ、種類別布基礎長Ｌｆ、外周基礎内部面積Ｓｉｎ、及び柱状改良本数Ｎｐを入力する手間を省略することができる。なお、ユーザは、ＣＡＤシステム９から出力されたファイルを読み込んで表示装置７に表示された外周長ＬＷＬ、種類別布基礎長Ｌｆ、外周基礎内部面積Ｓｉｎ、及び柱状改良本数Ｎｐを変更することができる。
【００５５】
一方、ファイルを読み込まないと判断した場合（Ｓ１：ＮＯ）、ユーザは、外周長ＬＷＬ、種類別布基礎長Ｌｆ、外周基礎内部面積Ｓｉｎ、及び柱状改良本数Ｎｐをそれぞれの入力画面の入力フィールドに入力装置６により入力する。布基礎数量入力画面１７の「種類」フィールドは、ドロップダウンボックスになっており、ユーザは、ドロップダウンリストに表示されたマスタから布基礎の種類を選択する。「種類」フィールドを入力したら、それに対応する仕様が「仕様」フィールドに表示される。
【００５６】
次いで、ユーザは、図１４に示すように、基本条件入力画面２０から敷地面積Ｓｓｉｔｅ、仮想現状地盤面高さＨＧＬ、仮定設計ＧＬ高さＨｓＧＬ、仮想埋土量Ｖｆ、仮想切土量Ｖｃ、屋外仮置き平均高さＨｐｏｕｔ、屋内仮置き平均高さＨｐｉｎ、屋外仮置き不可能面積Ｓｐｅｘｏｕｔ、及び屋内仮置き除外面積Ｓｐｅｘｉｎと、土撒き距離Ｌｓｐ、又は残土整地面積Ｓｏｕｔとを入力する（Ｓ３）。具体的には、敷地面積Ｓｓｉｔｅを「敷地基本条件」の「敷地面積」フィールドに入力し、仮想現状地盤面高さＨＧＬを「仮想現状地盤高さ」フィールドに入力し、ま仮定設計ＧＬ高さＨｓＧＬを「設計ＧＬ高さ」フィールドにそれぞれ入力する。また、仮想埋土量Ｖｆを「仮想埋土量」フィールドに入力し、仮想切土量Ｖｃを「仮想切土量」フィールドにそれぞれ入力する。屋外仮置き平均高さＨｐｏｕｔ、及び屋内仮置き平均高さＨｐｉｎを「仮置き条件」の「平均仮置き高さ」の「屋外」、及び「屋内」の各フィールドに入力し、屋外仮置き不可能面積Ｓｐｅｘｏｕｔ、及び屋内仮置き除外面積Ｓｐｅｘｉｎを「屋外除外面積」、及び「屋内除外面積」の各フィールドに入力する。また、「屋外埋め戻し」の「土撒き距離」、又は「実面積」フィールドのうち、入力するフィールドをラジオボタンで選択し、「土撒き距離」を選択した場合、土撒き距離Ｌｓｐを「土撒き距離」フィールドに入力し、一方、「実面積」を選択した場合は、残土整地面積Ｓｏｕｔを「実面積」フィールドに入力する。このとき、選択されていない方のフィールドは、無効となる。また、「顧客名」フィールドに顧客名を入力して、どのプランであるか認識可能とする。
【００５７】
なお、この基本条件入力画面２０中の「仮置き条件」の「平均仮置き高さ」の「屋外」及び「屋内」、「屋内除外面積」、「土撒き距離」、「単価・係数」の「処分」及び「客土」、「嵩増し係数」及び「締固め係数」の各フィールドには、マスタ設定値としてＨＤ５に記憶された仮屋外仮置き平均高さＨｐｏｕｔ、屋内仮置き平均高さＨｐｉｎ、屋内仮置き除外面積Ｓｐｅｘｉｎ、土撒き距離Ｌｓｐ、処分基本料金Ｕｄｉｓｂ、処分単価Ｕｄｉｓ、客土基本料金Ｕｉｎｂ、客土単価Ｕｉｎ、掘削土嵩増し係数α、埋め戻し土締め固め係数βがそれぞれデフォルト表示されており、ユーザはそれらの数値をそのまま用いることもできるし、プラン毎に変更値を入力することもできる。また、「屋外除外面積」、及び「屋内除外面積」の各フィールドの横には、「すべて」チェックボックスが表示されており、ユーザが該チェックボックスをクリックしてチェックを入れた場合、全く仮置きできないと入力されたものとする。また、図１４には、仮想埋土量Ｖｆ、及び仮想切土量Ｖｃの入力フィールドである「仮想埋土量」、及び「仮想切土量」の各フィールドが１つずつしか示されていないが、それぞれ複数入力できるようにしてもよい。
【００５８】
Ｓ３において、ユーザが「設計ＧＬ高さ」フィールドに仮定設計ＧＬ高さＨｓＧＬを入力すると、設計ＧＬ積算システム１の制御部２は、布基礎断面が適切であるか否かを判断する（Ｓ４）。これは、仮定設計ＧＬまでの基礎立上がり高さＨ１、最小土被りＨｍｉｎ、仮想すき取り深さＨｄ、仮想現状地盤面高さＨＧＬ、及び仮定設計ＧＬ高さＨｓＧＬにより次式が満たされているか否かにより判断する。
（数１）
Ｈ１−Ｈｍｉｎ≧Ｈｄ＋（ＨｓＧＬ−ＨＧＬ）
【００５９】
制御部２は、上式が満たされず、布基礎断面が不適切であると判断した場合（Ｓ４：ＮＯ）、布基礎断面が不適切である旨を表示装置７に表示する（Ｓ５）。この場合、ユーザは、Ｓ３において「設計ＧＬ高さ」フィールドに仮定設計ＧＬ高さＨｓＧＬを入力し直し、以降のステップを行う。一方、制御部２は、上式が満たされて、布基礎断面が適切であると判断した場合（Ｓ４：ＹＥＳ）、ユーザは、図１１に示すように、表示装置７に表示された布基礎数量入力画面１７において除外長ＬＷＬｏｕｔ、仮想すき取り深さＨｄ、深基礎長の中心から敷地境界線までの距離Ｌｄ、仮想すき取り土量の調整値Ｖｄａ、及び相殺仮想すき取り土量Ｖｄｃを入力する（Ｓ６）。具体的には、布基礎情報の除外長ＬＷＬｏｕｔを「除外長」フィールドに入力する。また、「種類」フィールドに「外周基礎」、又は「アルコーブ下基礎」が入力されている行においては、「高さ」、「平均幅」、「加算土量」、及び「相殺土量」の各フィールドが有効になっており、仮想すき取り深さＨｄを「高さ」フィールドに、深基礎長の中心から敷地境界線までの距離Ｌｄを「平均幅」フィールドに、仮想すき取り土量の調整値Ｖｄａを「加算土量」フィールドに入力し、相殺仮想すき取り土量Ｖｄｃを「相殺土量」フィールドに入力する。なお、「加算土量」と「相殺土量」の区分けを好まない場合、「平均幅」に０を入力し、すべての仮想すき取り土量Ｖｄを「加算土量」に入力してもよい。
【００６０】
また、ユーザは、布基礎の掘削幅を変更する場合、この布基礎数量入力画面１７中の「掘削幅」の「変更」チェックボックスをクリックしてチェックを入れ、「屋外」、及び「屋内」フィールドにそれぞれの変更値である基礎外部掘削幅補正量Ｂ５Ｌ、及び基礎内部掘削幅補正量Ｂ５ｒを入力する。同様に、布基礎の掘削勾配を変更する場合は、「掘削勾配」の「変更」チェックボックスをクリックしてチェックを入れ、「屋外」、及び「屋内」フィールドにそれぞれの変更値である基礎外部掘削勾配変更値γＬｕ、及び基礎内部掘削勾配変更値γｒｕを入力する。
【００６１】
なお、基礎外部掘削幅補正量Ｂ５Ｌ、及び基礎内部掘削幅補正量Ｂ５ｒが入力された場合、基礎外部掘削幅Ｂ４Ｌは、基礎外部フーチング下端幅Ｂ３Ｌに基礎外部掘削幅補正量Ｂ５Ｌを含めて値に設定され、同様に基礎内部掘削幅Ｂ４ｒは、基礎内部フーチング下端幅Ｂ３ｒに基礎内部掘削幅補正量Ｂ５ｒを含めて値に設定される。また、基礎外部掘削勾配変更値γＬｕ、及び基礎内部掘削勾配変更値γｒｕが入力された場合、基礎外部掘削勾配γＬ、及び基礎内部掘削勾配γｒは、それぞれ基礎外部掘削勾配変更値γＬｕ、及び基礎内部掘削勾配変更値γｒｕに変更されて設定される。なお、基礎外部掘削勾配γＬ、及び基礎内部掘削勾配γｒは、布基礎の種類毎にマスタ設定されているが、基礎外部掘削勾配変更値γＬｕ、基礎内部掘削勾配変更値γｒｕが入力された場合、それらが当該プラン一律の値となる。
【００６２】
なお、この布基礎数量入力画面１７は、布基礎の種類毎の数量を入力する画面であるが、建物に応じて用いられる布基礎の種類は異なるため、行数を限定できない。そのため、画面構成で必要な場合は、スクロールバーも用いる。また、布基礎の種類は同じであっても仮想すき取り深さＨｄが異なる場合は、別の行にそれぞれ入力する。
【００６３】
次に、設計ＧＬ積算システム１のユーザは、図１２に示すように、表示装置７に表示された部屋・仕上げ情報入力画面１８から過不足土量を計算する部屋面積Ｓｒｂ、及び過不足土量を計算する屋外仕上げ面積Ｓｏｕｔｂを入力する（Ｓ６）。具体的には、「屋内床下地」の「部屋名」フィールドの１行目には「基準部屋」が表示され、「面積」フィールドには外周基礎内部面積Ｓｉｎがデフォルト表示されており、ユーザは、「基準部屋」の床仕様と異なる床仕様の部屋名を「部屋名」フィールドのドロップダウンリストに表示されたマスタから選択し、過不足土量を計算する部屋面積Ｓｒｂを「面積」フィールドに入力する。ユーザが他の部屋名と過不足土量を計算する部屋面積Ｓｒｂを入力する度に、その過不足土量を計算する部屋面積Ｓｒｂが「基準部屋」の外周基礎内部面積Ｓｉｎから差し引かれて表示される。例えば、次表に示すように、「基準部屋」の「面積」フィールドに外周基礎内部面積Ｓｉｎが「８５」と表示されている場合に、ユーザが「部屋名」フィールドにドロップダウンリストから「玄関」を選択して入力し、「玄関」と同じ床仕様の過不足土量を計算する部屋面積Ｓｒｂを「３」と入力すると、「基準部屋」の「面積」フィールドには「８２」と表示される。すなわち、合計面積は、常に外周基礎内部面積Ｓｉｎと一致する。
【表１】
0004626423.tif 000002
【００６４】
また、ユーザは、ピロティ外玄関ポーチ、外構アプローチ床、化粧客土等の土量に影響を与える施工を行う仕様の名称を「屋該床仕上げ」の「名称」フィールドのドロップダウンリストに表示されるマスタから選択し、過不足土量を計算する屋外仕上げ面積Ｓｏｕｔｂを「面積」フィールドに入力する。
【００６５】
次に、ユーザは、図１３に示すように、表示装置７に表示された地盤改良情報入力画面１９から表層改良厚Ｈｐｒ、部分改良残土量Ｖｐｒｂ、表層改良配合量、表層改良残土補正係数λｆｕ、節の有無、柱状改良総施工長さＬｐ、柱状改良配合量、柱状改良残土補正係数λｐｕ、及びソルパック掘削土量Ｖｓｏを入力する（Ｓ７）。具体的には、表層改良厚Ｈｐｒを「表層改良」の「全面改良改良厚」フィールドに入力し、部分改良残土量Ｖｐｒｂを「部分改良改良体積」に入力し、表層改良配合量を「配合量」フィールドのドロップダウンリストに表示されるマスタから選択し、表層改良残土補正係数λｆｕを「補正係数」フィールドに入力する。また、節の有無を「柱状改良」の「節なし」、又は「節付き」をラジオボタンで選択し、柱状改良総施工長さＬｐを「延べ長さ」フィールドに入力し、柱状改良配合量を「配合量」フィールドのドロップダウンリストに表示されるマスタから選択し、柱状改良残土補正係数λｐｕを「補正係数」フィールドに入力する。さらに、ソルパック掘削土量Ｖｓｏを「ソルパック」の「掘削土量」フィールドに入力する。ここで「配合量」フィールドに入力された表層改良配合量に応じた表層改良残土発生率λｆ、及び柱状改良配合量に応じた柱状改良残土発生率λｐが設定される。また、表層改良残土補正係数λｆｕ、及び柱状改良残土補正係数λｐｕは、ユーザが敷地の状況を判断して設定できる補正係数であり、通常は１．０がデフォルトで表示されている。
【００６６】
そして、ユーザが全ての入力情報の入力を完了し、「計算」コマンドを入力すると（Ｓ９）、Ｓ２乃至Ｓ８において入力装置６により入力された情報と、ＨＤ５に記憶された情報に基づいて、仮定設計ＧＬ高さＨｓＧＬ及び該仮定設計ＧＬ高さＨｓＧＬ付近の複数のレベルにおける総掘削土量Ｖｃｕｔ、総仮置き土量Ｖｐ、総埋め戻し土量Ｖｒａ、処分土量Ｖｄｉｓ、客土量Ｖｕｐ、処分費用Ｐｄｉｓ、客土費用Ｐｉｎ、及び合計費用Ｐａｌｌを計算し、それらの計算結果を表示する（Ｓ１０）。
【００６７】
以下、計算方法を説明する。
〔掘削土量の計算〕
敷地における総掘削土量Ｖｃｕｔは、掘削土量Ｖｂ、仮想すき取り土量Ｖｄ、仮想埋土量Ｖｆ、仮想切土量Ｖｃ、表層改良残土量Ｖｐｒ、柱状改良残土量Ｖｐｉ、及びソルパック掘削土量Ｖｓｏを合計することにより求められる。以下、掘削土量Ｖｂ、仮想すき取り土量Ｖｄ、表層改良残土量Ｖｐｒ、柱状改良残土量Ｖｐｉの計算方法をそれぞれ説明する。
【００６８】
まず、掘削土量Ｖｂは、図１５（ａ）の斜線部分である掘削面積Ｓｂに、該当する種類別布基礎長Ｌｆを乗じて求められるものであり、次式で表される。
（数２）
Ｖｂ＝Ｓｂ×Ｌｆ
【００６９】
ここで、掘削面積Ｓｂの計算は、図１５（ｂ）に示すように、掘削断面をａ乃至ｄのブロックに分割して行うが、該ａ乃至ｄの各ブロックは、長方形又は直角三角形であり、布基礎断面情報、仮想すき取り深さＨｄ、仮想現状地盤面高さＨＧＬ、及び仮定設計ＧＬ高さＨｓＧＬによりそれぞれ次表にてその面積が計算される。
【表２】
0004626423.tif 000003
【００７０】
したがって、掘削面積Ｓｂは、次式で求められる。
（数３）
Ｓｂ＝Σａ〜ｄ
【００７１】
次に、仮想すき取り土量Ｖｄを説明する。仮想すき取り土量Ｖｄは、単純な場合を示すと、図６に示されるように、すき取り部分は台形となる。この場合のすき取り土量を基本すき取り量Ｖｄｓとすると、該基本すき取り量Ｖｄｓは、種類別布基礎長Ｌｆ、深基礎長の中心から敷地境界線までの距離Ｌｄ、及び仮想すき取り深さＨｄにより次式で求められる。
（数４）
Ｖｄｓ＝Ｌｆ×Ｌｄ×Ｈｄ
【００７２】
仮想すき取り土量Ｖｄは、この基本すき取り量Ｖｄｓと、ユーザにより別途計算されて入力された仮想すき取り土量の調整値Ｖｄａ、及び相殺仮想すき取り土量Ｖｄｃにより次式により求められる。
（数５）
Ｖｄ＝Ｖｄｓ＋Ｖｄａ−Ｖｄｃ
【００７３】
仮想すき取り量Ｖｄを計算する部分が複数ある場合を考慮すると、仮想すき取り土量Ｖｄの総計は、以下の式で表される。
（数６）
Ｖｄ＝ΣＶｄ１〜ｎ
【００７４】
次いで、表層改良残土量Ｖｐｒを求める。本設計ＧＬ積算システム１における表層改良は、全面改良と部分改良を対象としており、全面改良の施工範囲は、外周基礎外側より一定距離の表層改良施工幅Ｌｐｒである。このとき、表層改良施工面積Ｓｐｒは、該表層改良施工幅Ｌｐｒと、外周長ＬＷＬ、外周基礎内部面積Ｓｉｎ、及び除外長ＬＷＬｏｕｔにより次式により求められる。
（数７）
Ｓｐｒ＝Ｓｉｎ＋（ＬＷＬ−ＬＷＬｏｕｔ）×Ｌｐｒ＋Ｌｐｒ×Ｌｐｒ×４
【００７５】
ここで、上式のＬｐｒ×Ｌｐｒ×４とは、建物の出隅部の改良面積の合計であり、これは、建物の出隅１箇所と入隅１箇所の改良面積は、面積計算上相殺され、且つ、建物形状によらず（出隅の数）−（入隅の数）＝４という関係が成り立つことにより導かれている。
【００７６】
したがって、表層改良残土量Ｖｐｒは、該表層改良施工面積Ｓｐｒと、表層改良厚Ｈｐｒ、部分改良残土量Ｖｐｒｂ、表層改良残土発生率λｆ、及び表層改良残土補正係数λｆｕにより次式により求められる。
（数８）
Ｖｐｒ＝（Ｓｐｒ×Ｈｐｒ＋Ｖｐｒｂ）×λｆ×λｆｕ
【００７７】
次いで、柱状改良残土量Ｖｐｉを説明する。柱状改良残土量Ｖｐｉは、柱状改良１ｍあたりの基本残土量Ｖｐｕ１、柱状改良総施工長さＬｐ、柱状改良１本あたりの節部基本残土量Ｖｐｕ２、柱状改良本数Ｎｐ、柱状改良残土発生率λｐ、及び柱状改良残土補正係数λｐｕにより次式により求められる。
（数９）
Ｖｐｉ＝（Ｖｐｕ１×Ｌｐ＋Ｖｐｕ２×Ｎｐ）×λｐ×λｐｕ
【００７８】
よって、総掘削土量Ｖｃｕｔは、掘削土量Ｖｂ、仮想すき取り土量Ｖｄ、仮想埋土量Ｖｆ、仮想切土量Ｖｃ、表層改良残土量Ｖｐｒ、柱状改良残土量Ｖｐｉ、及びソルパック掘削土量Ｖｓｏにより次式で求められる。
（数１０）
Ｖｃｕｔ＝Ｖｂ＋Ｖｄ＋Ｖｃ−Ｖｆ＋Ｖｐｒ＋Ｖｐｉ＋Ｖｓｏ
【００７９】
〔仮置き土量の計算〕
土の掘削範囲、及び仮置き範囲は、図１６に示すように、布基礎からの掘削幅によって決定されるものであり、布基礎の屋外側掘削幅ＢｃＬ、及び屋内側掘削幅Ｂｃｒは、基礎外部掘削幅Ｂ４Ｌ、基礎内部掘削幅Ｂ４ｒ、仮定設計ＧＬまでの基礎立上がり高さＨ１、フーチング厚Ｈ２、地業厚Ｈ３、基礎外部掘削勾配γＬ、基礎内部掘削勾配γｒ、仮想現状地盤面高さＨＧＬ、仮定設計ＧＬ高さＨｓＧＬ、及び仮想すき取り深さＨｄによりそれぞれ次式で求められる。
（数１１）
ＢｃＬ＝Ｂ４Ｌ＋{Ｈ１＋Ｈ２＋Ｈ３−（ＨｓＧＬ−ＨＧＬ）−Ｈｄ}×γL
Ｂｃｒ＝Ｂ４ｒ＋{Ｈ１＋Ｈ２＋Ｈ３−（ＨｓＧＬ−ＨＧＬ）}×γｒ
【００８０】
総仮置き土量Ｖｐは、屋内仮置き土量Ｖｐｉｎ、及び屋外仮置き土量Ｖｐｏｕｔを合計することにより求められる。
以下、屋内仮置き土量Ｖｐｉｎ、及び屋外仮置き土量Ｖｐｏｕｔの計算方法を説明する。
【００８１】
まず、屋内仮置き土量Ｖｐｉｎの計算方法を説明する。屋内の仮置きできない部分の面積である基礎内部掘削面積Ｓｐｎｉｎは、該基礎内部掘削面積Ｓｐｎｉｎを計算する部分が複数ある場合を考慮すると、屋外側掘削幅ＢｃＬ、屋内側掘削幅Ｂｃｒ、及び種類別布基礎長Ｌｆにより次式で求められる。
（数１２）
Ｓｐｎｉｎｎ＝（ＢｃＬｎ＋Ｂｃｒｎ）×Ｌｆｎ
Ｓｐｎｉｎ＝ΣＳｐｎｉｎ１〜ｎ
【００８２】
なお、基礎内部掘削面積Ｓｐｎｉｎを求める際は、種類が外周基礎である布基礎の屋外側掘削幅ＢｃＬ＝０とする。これは、基礎内部掘削面積Ｓｐｎｉｎが基礎内部の掘削面積であるからであり、外周基礎の外側の掘削面積を除くためである。
【００８３】
屋内仮置き可能面積Ｓｐｉｎは、外周基礎内部面積Ｓｉｎ、基礎内部掘削面積Ｓｐｎｉｎ、及び屋内仮置き除外面積Ｓｐｅｘｉｎにより次式で求められる。
（数１３）
Ｓｐｉｎ＝Ｓｉｎ−Ｓｐｎｉｎ−Ｓｐｅｘｉｎ
【００８４】
したがって、屋内仮置き土量Ｖｐｉｎは、屋内仮置き可能面積Ｓｐｉｎ、屋内仮置き平均高さＨｐｉｎにより次式で求められる。
（数１４）
Ｖｐｉｎ＝Ｓｐｉｎ×Ｈｐｉｎ
【００８５】
ついで、屋外仮置き土量Ｖｐｏｕｔの計算方法を説明する。屋外仮置き可能面積Ｓｐｏｕｔは、敷地面積Ｓｓｉｔｅ、外周基礎内部面積Ｓｉｎ、屋外仮置き不可能面積Ｓｐｅｘｏｕｔにより次式で求められる。
（数１５）
Ｓｐｏｕｔ＝Ｓｓｉｔｅ−Ｓｉｎ−Ｓｐｅｘｏｕｔ
【００８６】
基礎外部掘削面積Ｓｐｎｏｕｔは、基礎外部掘削面積Ｓｐｎｏｕｔを計算する部分が複数ある場合を考慮すると、屋外側掘削幅ＢｃＬ、種類別布基礎長Ｌｆにより次式で求められる。
（数１６）
Ｓｐｎｏｕｔｎ＝ＢｃＬｎ×Ｌｆｎ
Ｓｐｎｏｕｔ＝ΣＳｐｎｏｕｔ１〜ｎ
【００８７】
有効仮置き面積Ｓｅｆｏｕｔは、屋外仮置き可能面積Ｓｐｏｕｔ、基礎外部掘削面積Ｓｐｎｏｕｔにより次式で求められる。
（数１７）
Ｓｅｆｏｕｔ＝Ｓｐｏｕｔ−Ｓｐｎｏｕｔ
【００８８】
したがって、屋外仮置き土量Ｖｐｏｕｔは、屋外仮置き可能面積Ｓｐｏｕｔ、及び屋外仮置き平均高さＨｐｏｕｔにより次式で求められる。
（数１８）
Ｖｐｏｕｔ＝Ｓｅｆｏｕｔ×Ｈｐｏｕｔ
【００８９】
よって、総仮置き土量Ｖｐは、屋内仮置き土量Ｖｐｉｎ、及び屋外仮置き土量Ｖｐｏｕｔにより次式で求められる。
（数１９）
Ｖｐ＝Ｖｐｉｎ＋Ｖｐｏｕｔ
【００９０】
〔埋め戻し土量の計算〕
総埋め戻し土量Ｖｒａは、外周基礎内部及び外部に一旦仮想現状地盤面まで埋め戻しを行う計算により基礎の埋め戻し断面土量Ｖｒｅを計算し、その後建物の内外ともに設計ＧＬまで盛土する計算により外周基礎内部埋め戻し土量Ｖｉｎ及び外周基礎外部埋め戻し土量Ｖｏｕｔを計算し、床仕様による過不足土量の計算により屋内の過不足土量Ｖｒｂ及び屋外の過不足土量Ｖｏｕｔｂを計算して、それらを合計することで求められる。
以下、基礎の埋め戻し断面土量Ｖｒｅ、外周基礎内部埋め戻し土量Ｖｉｎ、外周基礎外部埋め戻し土量Ｖｏｕｔ、屋内の過不足土量Ｖｒｂ、及び屋外の過不足土量Ｖｏｕｔｂの計算方法を説明する。
【００９１】
まず、仮想現状地盤面までの埋め戻し土量である基礎の埋め戻し断面土量Ｖｒｅを求めるにあたって、図１７（ａ）の斜線部分である基礎の埋め戻し断面積Ｓｒｅを求めるが、仮想現状地盤面とフーチングの位置関係によって計算が異なる。
１）ＨｓＧＬ−ＨＧＬ≦Ｈ１及び（ＨｓＧＬ−ＨＧＬ）≦Ｈ１の場合；
これは、フーチングが完全に仮想現状地盤に埋まる場合であり、この場合、基礎の埋め戻し断面積Ｓｒｅは、図１７（ｂ）に示すように、ｅ乃至ｎのブロックに分けて求めるが、該ｅ乃至ｎの各ブロックは、長方形又は直角三角形であり、それぞれ次表にてその面積が計算される。
【表３】
0004626423.tif 000004
【００９２】
したがって、基礎の埋め戻し断面積Ｓｒｅは、次式で求められる。
（数２０）
Ｓｒｅ＝Σｅ〜ｎ
【００９３】
２）ＨｓＧＬ−ＨＧＬ＞Ｈ１及び（ＨｓＧＬ−ＨＧＬ）＞Ｈ１の場合；
これは、仮想現状地盤面までの埋め戻しではフーチングが完全に埋まらない場合であり、この場合、基礎の埋め戻し断面積Ｓｒｅは、図１８に示すように、ｇ乃至ｉ及びｌ乃至ｎのブロックに分けて計算する。該ｇ乃至ｉ及びｌ乃至ｎの各ブロックは、長方形又は直角三角形であり、それぞれ次表にてその面積が計算される。
【表４】
0004626423.tif 000005
【００９４】
したがって、基礎の埋め戻し断面積Ｓｒｅは、次式で求められる。
（数２１）
Ｓｒｅ＝Σｇ〜ｉ＋Σｌ〜ｎ
【００９５】
よって、基礎の埋め戻し断面土量Ｖｒｅは、基礎の埋め戻し断面土量Ｖｒｅを計算する部分が複数ある場合を考慮すると、基礎の埋め戻し断面積Ｓｒｅ、種類別布基礎長Ｌｆにより次式で求められる。
（数２２）
Ｖｒｅｎ＝Ｓｒｅｎ×Ｌｆｎ
Ｖｒｅ＝ΣＶｒｅ１〜ｎ
【００９６】
次いで、仮定設計ＧＬまでの埋め戻し土量として、外周基礎内部埋め戻し土量Ｖｉｎを求める。外周基礎内部埋め戻し土量Ｖｉｎは、外周基礎内部面積Ｓｉｎに仮定設計ＧＬ高さＨｓＧＬと仮想現状地盤面高さＨＧＬとの差を乗じて求めるが、外周基礎内部面積Ｓｉｎは、外周基礎のＮ芯より内部の面積であるので、布基礎断面と重なる部分が含まれる。したがって、該布基礎断面と重なる部分の土量、すなわち埋め戻し土基礎断面差し引き土量Ｖｉｎｆを計算することにより求められる。
【００９７】
埋め戻し土基礎断面差し引き土量Ｖｉｎｆは、図１９に示すように、ｏ乃至ｔのブロックの合計である埋め戻し土基礎断面差し引き面積Ｓｉｎｆに種類別布基礎長Ｌｆを乗じて求めることができる。そこで、埋め戻し土基礎断面差し引き面積Ｓｉｎｆを計算する。
【００９８】
フーチングと仮想現状地盤面の高低差Ｈｆは、図１９に示すように、仮定設計ＧＬ高さＨｓＧＬと仮想現状地盤面高さＨＧＬとの差、及び仮定設計ＧＬまでの基礎立上がり高さＨ１により次式で求められる。
（数２３）
Ｈｆ＝（ＨｓＧＬ−ＨＧＬ）−Ｈ１
【００９９】
また、次の条件を元の値に再代入する。
【表５】
0004626423.tif 000006
【０１００】
ｏ乃至ｔの各ブロックは、長方形又は直角三角形であり、それぞれ次表にてその面積が計算される。
【表６】
0004626423.tif 000007
【０１０１】
したがって、埋め戻し土基礎断面差し引き面積Ｓｉｎｆは、次式で求められる。
（数２４）
Ｓｉｎｆ＝Σｏ〜ｔ
【０１０２】
埋め戻し土基礎断面差し引き土量Ｖｉｎｆは、埋め戻し土基礎断面差し引き土量Ｖｉｎｆを計算する部分が複数ある場合を考慮すると、埋め戻し土基礎断面差し引き面積Ｓｉｎｆ、及び種類別布基礎長Ｌｆにより次式で求められる。
（数２５）
Ｖｉｎｆｎ＝Ｓｉｎｆｎ×Ｌｆｎ
Ｖｉｎｆ＝ΣＶｉｎｆ１〜ｎ
【０１０３】
よって、外周基礎内部埋め戻し土量Ｖｉｎは、埋め戻し土基礎断面差し引き面積Ｓｉｎｆ、仮定設計ＧＬ高さＨｓＧＬと仮想現状地盤面高さＨＧＬとの差、及び埋め戻し土基礎断面差し引き土量Ｖｉｎｆにより次式で求められる。
（数２６）
Ｖｉｎ＝Ｓｉｎ×（ＨｓＧＬ−ＨＧＬ）−Ｖｉｎｆ
【０１０４】
次いで、設計ＧＬまでの埋め戻し土量として、外周基礎外部埋め戻し土量Ｖｏｕｔを求める。外周基礎外部埋め戻し土量Ｖｏｕｔは、基本条件入力画面２０において「屋外埋め戻し」のラジオボタンで選択された方法により計算する。「土撒き距離」が選択されている場合、外周より一定距離の土撒き距離Ｌｓｐの範囲に残土を入れる計算をする。一方、「実面積」が選択されている場合、ユーザにより設計図書の配置図を元に残土を盛土・整地する残土整地面積Ｓｏｕｔが入力されており、その残土整地面積Ｓｏｕｔに対して残土を入れる計算をする。
【０１０５】
１）「土撒き距離」が選択されている場合；
残土整地面積Ｓｏｕｔは、外周長ＬＷＬ、除外長ＬＷＬｏｕｔ、及び土撒き距離Ｌｓｐにより次式により求められる。
（数２７）
Ｓｏｕｔ＝（ＬＷＬ−ＬＷＬｏｕｔ）×Ｌｓｐ＋Ｌｓｐ×Ｌｓｐ×４
【０１０６】
外周基礎外部埋め戻し土量Ｖｏｕｔは、この残土整地面積Ｓｏｕｔに仮想現状地盤面と仮定設計ＧＬの高低差を乗じることにより、次式により求められる。
（数２８）
Ｖｏｕｔ＝Ｓｏｕｔ×（ＨｓＧＬ−ＨＧＬ）
【０１０７】
２）「実面積」が選択されている場合；
残土整地面積Ｓｏｕｔがユーザにより別途計算されて入力されており、外周基礎外部埋め戻し土量Ｖｏｕｔは、この残土整地面積Ｓｏｕｔに仮想現状地盤面と仮定設計ＧＬの高低差を乗じることにより、次式により求められる。
（数２９）
Ｖｏｕｔ＝Ｓｏｕｔ×（ＨｓＧＬ−ＨＧＬ）
【０１０８】
次いで、仮定設計ＧＬを基準にした屋内の過不足土量Ｖｒｂを計算する。部屋毎の過不足土量Ｖｒｂｎは、過不足土量を計算する部屋面積Ｓｒｂｎ、及び地盤下地面高さＨｒｂｎにより次表の通り計算できる。
【表７】
0004626423.tif 000008
【０１０９】
したがって、仮定設計ＧＬを基準にした屋内の過不足土量Ｖｒｂは、部屋毎の過不足土量Ｖｒｂｎ、過不足土量を計算する部屋面積Ｓｒｂｎ、及び地盤下地面高さＨｒｂｎにより次式で求められる。
（数３０）
Ｖｒｂｎ＝Ｓｒｂｎ×Ｈｒｂｎ
Ｖｒｂ＝ΣＶｒｂ１〜ｎ
【０１１０】
次いで、仮定設計ＧＬを基準にした屋外の過不足土量Ｖｏｕｔｂを計算する。屋外仕上げ毎の過不足土量Ｖｏｕｔｂｎは、過不足土量を計算する屋外仕上げ面積Ｓｏｕｔｂｎ、及び地盤下地面高さＨｒｂｎにより次表の通り計算できる。
【表８】
0004626423.tif 000009
【０１１１】
したがって、仮定設計ＧＬを基準にした屋外の過不足土量Ｖｏｕｔｂは、屋外仕上げ毎の過不足土量Ｖｏｕｔｂｎ、過不足土量を計算する屋外仕上げ面積Ｓｏｕｔｂｎ、及び地盤下地面高さＨｒｂｎにより次式で求められる。
（数３１）
Ｖｏｕｔｂｎ＝Ｓｏｕｔｂｎ×Ｈｒｂｎ
Ｖｏｕｔｂ＝ΣＶｏｕｔｂ１〜ｎ
【０１１２】
よって、総埋め戻し土量Ｖｒａは、以上説明した基礎の埋め戻し断面土量Ｖｒｅ、外周基礎内部埋め戻し土量Ｖｉｎ、外周基礎外部埋め戻し土量Ｖｏｕｔ、１階床全体の過不足土量Ｖｒｂ、及び屋外の過不足土量Ｖｏｕｔｂにより次式で求められる。
（数３２）
Ｖｒａ＝Ｖｒｅ＋Ｖｉｎ＋Ｖｒｂ＋Ｖｏｕｔｂ
【０１１３】
〔全体の収支計算〕
掘削後の土量Ｖｃｕｔｒ、及び埋め戻し前の土量Ｖｒａｒは、総掘削土量Ｖｃｕｔ、総埋め戻し土量Ｖｒａ、掘削土嵩増し係数α、及び埋め戻し土締め固め係数βによりそれぞれ次式で求められる。
（数３３）
Ｖｃｕｔｒ＝Ｖｃｕｔ×α
Ｖｒａｒ＝Ｖｒａ×β
【０１１４】
まず、処分土量Ｖｄｉｓを計算するが、これまで計算した値を元に、計算条件を次表のように設定する。
【表９】
0004626423.tif 000010
【０１１５】
処分土量Ｖｄｉｓは、条件１に基づく処分土量Ｖｄｉｓ１、条件２に基づく処分土量Ｖｄｉｓ２、及びそれらのうち大きい方の値Ｖｄｉｓｍａｘにより次表のように求められる。
【表１０】
0004626423.tif 000011
【０１１６】
次いで、客土量Ｖｕｐを計算するが、これまで計算した値を元に、次表の計算条件が加わる。
【表１１】
0004626423.tif 000012
【０１１７】
客土量Ｖｕｐは、条件２に基づく客土量Ｖｕｐ１、条件２に基づく客土量Ｖｕｐ２、それらのうち大きい方の値Ｖｕｐｍａｘにより次表のように求められる。
【表１２】
0004626423.tif 000013
【０１１８】
次いで、処分費用Ｐｄｉｓは、処分土量Ｖｄｉｓ、処分基本料金Ｕｄｉｓｂ、及び処分単価Ｕｄｉｓにより次式で求められる。
（数３４）
Ｐｄｉｓ＝Ｕｄｉｓｂ＋Ｖｄｉｓ×Ｕｄｉｓ
【０１１９】
また、客土費用Ｐｉｎは、客土量Ｖｕｐ、客土基本料金Ｕｉｎｂ、及び客土単価Ｕｉｎにより次式で求められる。
（数３５）
Ｐｉｎ＝Ｕｉｎｂ＋Ｖｕｐ×Ｕｉｎ
【０１２０】
よって、合計費用Ｐａｌｌは、次式で求められる。
（数３６）
Ｐａｌｌ＝Ｐｄｉｓ＋Ｐｉｎ
【０１２１】
制御部２は、以上の計算を、入力した仮定設計ＧＬ高さＨｓＧＬと、該仮定設計ＧＬ高さＨｓＧＬに対して土量参考表の計算間隔Ｔｉで土量参考表の表示行数ＴＬ分のレベルにおいて行い、図２０に示すように、表示装置７に計算結果表示画面２１を表示し、また、ユーザから入力値や計算の中間値等を示す内訳明細を表示するコマンドの入力があった場合、図２１乃至図２３に示すように、表示装置７に内訳明細表示画面２２を表示する。なお、この計算結果表示画面２１の土量参考表では、計算間隔が５０ｍｍ、表示行数が仮定設計ＧＬ高さＨｓＧＬの上下２行が表示されているが、ＨＤ５に記憶されｔ土量参考表の計算間隔Ｔｉ、及び土量参考表の表示行数ＴＬを変更することにより、土量参考表の計算間隔及び表示行数は、変更可能である。また、仮定設計ＧＬ高さＨｓＧＬ付近のレベルにおいて、Ｓ４の条件式を満たさない場合は、該当行に基礎断面の変更が必要である旨が分かるように色やメッセージ等で表示し、欄外にもその旨が分かるように表示してもよい。さらに、各入力画面においての入力値及び計算結果をファイルとしてＨＤ５に保存することが可能であり、保存したファイルを読み込むことも可能である。
【０１２２】
以上の説明より明らかなように、本発明の実施の形態に係る設計ＧＬ積算システム１によれば、掘削した土の敷地内の仮置きを条件として仮定設計ＧＬ高さＨｓＧＬにおける処分土量Ｖｄｉｓ、及び客土量Ｖｕｐを計算して、その計算結果を表示するため、敷地に適した設計ＧＬの決定に有用な情報をユーザに提供でき、ユーザの敷地に適した設計ＧＬの決定を支援できる。
【０１２３】
また、すき取りを行う敷地や起伏のある敷地、表層改良や柱状改良、ソルパックによる改良を行う敷地においても、敷地に適した設計ＧＬの決定に有用な情報を提供でき、ユーザの敷地に適した設計ＧＬの決定を支援できる。
【０１２４】
また、屋内の過不足土量Ｖｒｂ及び屋外の過不足土量Ｖｏｕｔｂを計算して、屋内の過不足土量Ｖｒｂ及び屋外の過不足土量Ｖｏｕｔｂを含めて仮定設計ＧＬ高さＨｓＧＬにおける処分土量Ｖｄｉｓ、及び客土量Ｖｕｐを計算するため、より精度の高い処分土量Ｖｄｉｓ、及び客土量Ｖｕｐを計算できる。
【０１２５】
また、仮定設計ＧＬ高さＨｓＧＬ付近の複数のレベルにおける処分土量Ｖｄｉｓ、及び客土量Ｖｕｐを計算し、その計算結果を表示するため、敷地によっては隣地との敷地境界や道路斜線等の制約があり、仮定設計ＧＬに設計ＧＬを決定できない敷地においても、ユーザの敷地に適した設計ＧＬの決定を支援でき、ユーザは、表示された仮定設計ＧＬ高さＨｓＧＬ付近の複数のレベルにおける処分土量Ｖｄｉｓ、及び客土量Ｖｕｐを参考にして敷地に適した設計ＧＬを決定できる。
【０１２６】
さらに、合計費用Ｐａｌｌを計算し、その計算結果を表示するため、コスト面からもユーザの敷地に適した設計ＧＬの決定に有用な情報を提供できる。
【０１２７】
なお、本発明は、上記実施形態に限定されるものではなく、本発明の要旨の範囲内で種々の変形実施が可能である。例えば、本実施の形態では、ユーザは、さまざまな入力情報をＳ２乃至Ｓ８の順番で入力したが、特にこの順番に限られるものではなく、計算に必要な情報が全て入力されればよい。また、汎用のプリンタ（不図示）を設計ＧＬ積算システム１に接続し、計算結果及び内訳明細を用紙に記録できるようにしてもよい。
【図面の簡単な説明】
【０１２８】
【図１】本発明の実施の形態に係る設計ＧＬ積算システムの構成例を示すブロック図である。
【図２】基礎断面の種類と地盤面との関係、及びすき取り部分を示す模式断面図である。
【図３】布基礎断面情報、仮想現状地盤面高さ、仮定設計ＧＬ高さ、仮想すき取り深さ、基礎外部掘削幅補正量、及び基礎内部掘削幅補正量を示す模式断面図である。
【図４】仮想現状地盤面、仮想埋土量、及び仮想切土量を示す模式断面図である。
【図５】仮置き可能範囲を示す模式断面図である。
【図６】外周長からの除外部分を示す模式平面図である。
【図７】深基礎長の中心から敷地境界線までの距離を示す模式平面図である。
【図８】仮想すき取り土量の補正が必要な場合を示す模式断面図である。
【図９】地盤下地面、及び地盤下地面高さを示す模式断面図である。
【図１０】設計ＧＬ積算システムを用いて仮定設計ＧＬ高さ及び該仮定設計ＧＬ高さ付近の複数のレベルにおける総掘削土量、総仮置き土量、総埋め戻し土量、処分土量、客土量、処分費用、客土費用、及び合計費用を計算し、その計算結果を表示する方法を示すフローチャートである。
【図１１】布基礎数量入力画面の一例を示す図である。
【図１２】部屋・仕上げ情報入力画面の一例を示す図である。
【図１３】地盤改良情報入力画面の一例を示す図である。
【図１４】基本条件入力画面の一例を示す図である。
【図１５】掘削面積を示す模式断面図である。
【図１６】掘削範囲、仮置き範囲、布基礎の屋外側掘削幅、及び屋内側掘削幅を示す模式平面図である。
【図１７】基礎の埋め戻し断面積を示す模式断面図である。
【図１８】基礎の埋め戻し断面積を示す模式断面図である。
【図１９】埋め戻し土基礎断面差し引き面積を示す模式断面図である
【図２０】計算結果を表示する画面の一例を示す図である。
【図２１】内訳明細を表示する画面の一例を示す図である。
【図２２】内訳明細を表示する画面の一例を示す図である。
【図２３】内訳明細を表示する画面の一例を示す図である。
【符号の説明】
【０１２９】
１    設計ＧＬ積算システム
２    制御部（ＣＰＵ）
３    ＲＯＭ
４    ＲＡＭ
５    ＨＤ
６    入力装置
７    表示装置
１１    設計ＧＬ積算プログラム
【図１】
0004626423.tif 000014
【図２】
0004626423.tif 000015
【図３】
0004626423.tif 000016
【図４】
0004626423.tif 000017
【図５】
0004626423.tif 000018
【図６】
0004626423.tif 000019
【図７】
0004626423.tif 000020
【図８】
0004626423.tif 000021
【図９】
0004626423.tif 000022
【図１０】
0004626423.tif 000023
【図１１】
0004626423.tif 000024
【図１２】
0004626423.tif 000025
【図１３】
0004626423.tif 000026
【図１４】
0004626423.tif 000027
【図１５】
0004626423.tif 000028
【図１６】
0004626423.tif 000029
【図１７】
0004626423.tif 000030
【図１８】
0004626423.tif 000031
【図１９】
0004626423.tif 000032
【図２０】
0004626423.tif 000033
【図２１】
0004626423.tif 000034
【図２２】
0004626423.tif 000035
【図２３】
0004626423.tif 000036